(57)【特許請求の範囲】
【請求項１】
底板と、前記底板の周囲の一部を開放し、前記底板の上面側の前記周囲の側面に起立した状態で設けられた側板と、前記底板の後端部の上面側に起立した状態で設けられた背面板と、を備え、
前記底板、前記側板及び前記背面板は一体に形成され、
前記背面板の上端で且つ中央部には凸部が形成され、前記凸部の直下に貫通穴が形成され、前記貫通穴の直下から前記底板まで前記背面板の内側へ出っ張るように、前記底板の後端部の上面側に起立する支柱が前記背面板に一体で設けられていることを特徴とする収納箱。
【請求項２】
前記周囲は四辺部からなることを特徴とする請求項１に記載の収納箱。
【請求項３】
前記底板の左端部と右端部との間に位置する中間部に、前記底板の少なくとも上面側に開口した開口部が形成されていることを特徴とする請求項２に記載の収納箱。
【請求項４】
前記開口部に下端の少なくとも一部が嵌め込まれることにより前記中間部の上面側に起立した状態で取り付けられる仕切り板、をさらに備えることを特徴とする請求項３に記載の収納箱。
【請求項５】
前記側板のうち、第１の側板には、前記第１の側板を左右の方向に貫く第１の貫通穴が形成されており、第２の側板には、前記第２の側板の前記第１の貫通穴と向かい合う位置に、前記第２の側板を左右の方向に貫く第２の貫通穴が形成されていることを特徴とする請求項２から請求項４の何れか一項に記載の収納箱。
【請求項６】
請求項１から請求項５の何れか一項に記載の収納箱を複数個備え、
前記複数個の収納箱のうち、第１の収納箱の前記背面板の前記凸部が、第２の収納箱の前記底板の下面側の開口部に嵌合して、前記複数個の収納箱が高さ方向に積み重ねられていることを特徴とする多段収納箱。
【請求項７】
前記凸部に固定される天板をさらに備える、請求項１から請求項５の何れか一項に記載の収納箱。
【請求項８】
前記凸部に固定される天板をさらに備える、請求項６に記載の多段収納箱。
【請求項９】
前記収納箱の前側に前面扉をさらに備える、請求項１から請求項５、請求項７の何れか一項に記載の収納箱。
【請求項１０】
前記収納箱の前側に前面扉をさらに備える、請求項６又は請求項８に記載の多段収納箱。
【請求項１１】
請求項８又は請求項１０に記載の多段収納箱を複数個備え、
前記複数個の多段収納箱が左右の方向に連結されていることを特徴とする多段連結収納箱。
【発明の詳細な説明】
【技術分野】
【０００１】
本発明は、収納箱、多段収納箱及び多段連結収納箱に関する。
【背景技術】
【０００２】
この種の従来技術として、例えば特許文献１に開示されたものがある。特許文献１には、プラスチックにより成形された底板と背板と左右二つの側板と天板と前面扉とから組み立てられて成る複数の棚ユニットを上下段に積み重ね可能とした多段式ロッカー装置が記載されている。
【先行技術文献】
【特許文献】
【０００３】
【特許文献１】実用新案登録第３１８４５５８号公報
【発明の概要】
【発明が解決しようとする課題】
【０００４】
特許文献１に記載された多段式ロッカー装置において、底板、背板、左右二つの側板は、それぞれ別々に形成される。これら各板は、それぞれ専用の金型を用いて作成するため、複数種類の金型を用意する必要があり、金型の製作コストが高くなりがちであるという課題がある。
そこで、この発明はこのような事情に鑑みてなされたものであって、収納箱を製造する際に使用する金型の数を削減できるようにした収納箱、多段収納箱及び多段連結収納箱の提供を目的とする。
【課題を解決するための手段】
【０００５】
上記課題を解決するために、本発明の一態様に係る収納箱は、底板と、前記底板の周囲の一部を開放し、前記底板の上面側の前記周囲に起立した状態で設けられた側壁と、を備え、前記底板と前記側壁とは一体に形成されていることを特徴とする。
本発明の一態様に係る多段収納箱は、上記の収納箱を複数個備え、前記複数個の収納箱が高さ方向に積み重ねられていることを特徴とする。
本発明の一態様に係る多段連結収納箱は、上記の多段収納箱を複数個備え、前記複数個の多段収納箱が左右の方向に連結されていることを特徴とする。
【発明の効果】
【０００６】
本発明によれば、収納箱を製造する際に使用する金型の数を削減できるようにした収納箱、多段収納箱及び多段連結収納箱を提供することができる。
【図面の簡単な説明】
【０００７】
【図１】第１実施形態に係る収納箱５０の構成例を示す図である。
【図２】収納箱５０の構成例を示す図である。
【図３】収納箱５０の構成例を示す図である。
【図４】収納箱５０の構成例を示す図である。
【図５】収納箱５０の構成例を示す図である。
【図６】第２実施形態に係る多段収納箱１００の構成例を示す図である。
【図７】多段収納箱１００の構成例を示す図である。
【図８】第３実施形態に係る連結多段収納箱２００の構成例を示す図である。
【図９】連結部材９の構成例を示す図である。
【発明を実施するための形態】
【０００８】
以下、本発明の実施形態を図面を用いて説明する。なお、以下に説明する各図において、同一の構成を有する部分には同一の符号を付し、その繰り返しの説明は省略する。
＜第１実施形態＞
〔構成〕
図１は、本発明の第１実施形態に係る収納箱５０の構成例を示す斜視図である。また、図２（ａ）〜（ｅ）は、収納箱５０の構成例を示す平面図、正面図、底面図、左側面図、右側面図である。さらに、図３は、底板１に仕切り板５を取り付ける方法を示す斜視図である。また、図４及び図５は、底板１に仕切り板５を取り付けた後の収納箱５０を示す斜視図である。なお、図１〜図５では、収納箱５０の内部を図示するために、天板及び前面扉の図示は省略している。
【０００９】
図１〜図５に示すように、この収納箱５０は、底板１と、左側板２と、右側板３と、背面板４と、仕切り板５と、天板６（図７参照）と、前面扉７（図８参照）と、を備える。底板１は収納箱５０の底部である。この底板１の上面１ａ側に、例えば靴や鞄等の被収納物が配置される。また、後述するように、本発明では、収納箱５０を高さ方向（例えば、Ｚ軸方向）に積み重ねて多段収納箱を構成してもよい。その場合は、第１の収納箱５０の上に位置する第２の収納箱５０の底板１が、第１の収納箱５０の天板となる。例えば、底板１の平面視による形状は矩形である（即ち、底板１の周囲は四辺部からなる。）。
【００１０】
左側板２は、底板１の左端部の上面１ａ側（例えば、Ｚ軸方向）に起立した状態で設けられている。左側板２には、この左側板２を左右の方向（例えば、Ｘ軸方向）に貫く複数（本例では、４つ）の貫通穴２１が形成されている。本発明では、後述の図８で示すように、複数個の収納箱５０を左右の方向で連結してもよい。その際に、これらの貫通穴２１には連結部材９（図９参照）が通される。また、この左側板２の右側の側面（即ち、内側の側面）２ａには、右側面２ａから右方向に突出した複数個（本例では、４個）の棚受部２２が形成されている。これらの棚受部２２は、貫通穴２１よりも左側板２の内側（即ち、中央に近い側）に形成されている。
【００１１】
これらの棚受部２２は、後述の図８に示すように、棚板８を収納箱５０の内部に配置する際に、棚板８の端部を支持するために使用される。さらに、左側板２の上端には、左側板２上に配置される天板を固定するための凸部２３が形成されている。本例では、凸部２３が２個形成されている。これら凸部２３は、左側板２の両端部の上端に形成されている。例えば、天板の左端部の下面には開口部が形成されており、この開口部に凸部２３が嵌め込まれる。
【００１２】
右側板３は、底板１の右端部の上面１ａ側に起立した状態で設けられている。右側板３には、この右側板３を左右の方向に貫く複数（本例では、４つ）の貫通穴３１が形成されている。これらの貫通穴３１は、上述した左側板２の貫通穴２１と同様、連結部材９を通すために使用される。複数の貫通穴３１の各々は、右側板３の貫通穴２１と向かい合う位置にそれぞれ形成されている。また、この右側板３の左側面（即ち、内側の側面）３ａには、左側面３ａから左方向に突出した複数個（本例では、４個）の棚受部３２が形成されている。これらの棚受部３２は、貫通穴３１よりも右側板３の内側（即ち、中央に近い側）に形成されている。
【００１３】
これらの棚受部３２も、左側板２の棚受部２２と同様、棚板８を支持するために使用される。さらに、右側板３の上端には、右側板３上に配置される天板を固定するための凸部３３が形成されている。本例では、凸部３３が２個形成されている。これら凸部３３は、右側板３の両端部の上端に形成されている。例えば、天板の右端部の下面には開口部が形成されており、この開口部に凸部３３が嵌め込まれる。
【００１４】
背面板４は、底板１の後端部の上面１ａ側に起立した状態で設けられている。この背面板４の上端には、背面板４上に配置される天板を固定するための凸部４３が形成されている。本例では、凸部４３が一個形成されている。この凸部４３は、背面板４のほぼ中央に形成されている。例えば、天板の下面には開口部が形成されており、この開口部に凸部４３が嵌め込まれる。
【００１５】
また、背面板４には、この背面板４を前後の方向（例えば、Ｙ軸方向）に貫く１つの貫通穴４４が形成されている。この貫通穴４４は、凸部４３の直下に形成されている。図示しないが、本実施形態では、一対の収納箱５０を互いに背中合わせにして（即ち、背面板４同士を隣接させて）前後の方向で連結してもよい。その際に、貫通穴４４は連結部材９を通すために使用される。さらに、背面板４には、左右の方向の中間部に、高さ方向に沿って支柱４５が設けられている。この支柱４５は、貫通穴４４の直下から底板１まで設けられている。この支柱４５によって、背面板４の強度の向上が図られている。凸部４３、貫通穴４４及び支柱４５は、背面板４において、一直線上に配置されている。
【００１６】
また、底板１の左端部と右端部との間の中間部には、この底板１の少なくとも上面１ａ側に開口した開口部１１が形成されている。開口部１１は、仕切り板５を固定するための穴であり、例えば底板１の上面１ａと下面１ｂとの間を貫通する貫通穴である。本例では、開口部１１が２つ形成されている。これらの開口部１１のうち、背面板４に近い側の開口部１１は、支柱４５に隣接して設けられている。また、底板１の左端部と右端部との間の中間部のうち、２つの開口部１１に挟まれた位置に溝部１２が形成されている。本例では、溝部１２が１つ形成されている。この溝部１２は、仕切り板５を配置するための溝部である。この溝部１２は、仕切り板１の下端部のうち、後述の凸部５１以外の部位の形状にならう形状に形成されている。本例では、開口部１１と溝部１２とが、支柱４５と平面視で一直線上に並ぶように形成されている。また、底板１の前端部及び天板の前端部には、前面扉の軸部を支持するための開口部１３が形成されている。
【００１７】
図３に示すように、仕切り板５の下端（即ち、下端部の下側端）には下方に突き出た凸部５１が形成されている。本例では、凸部５１が２つ形成されている。仕切り板５を底板１に取り付ける場合は仕切り板５の下端を底板１に向い合せる。このとき、仕切り板５の下端のうち、底板１の開口部１１と対面する位置に凸部５１が形成されている。また、凸部５１は開口部１１の開口形状にならう形状に形成されている。これにより、底板１の凸部５１を開口部１１に嵌め込むことが可能となっている。この嵌め込みにより、仕切り板５は底板１の中間部の上面１ａ側（即ち、開口部１１上及び溝部１２上）に配置され、この位置に起立した状態で取り付けられる。
【００１８】
仕切り板５の左側面５ａには、左側面５ａから左方向に突出した複数個（本例では、２個）の棚受部５２が形成されている。また、仕切り板５の右側面５ｂにも、右側面５ｂから左方向に突出した複数個（本例では、２個）の棚受部５２が形成されている。これらの棚受部５２も、上述した棚受部２２、３２と同様、棚板８を支持するために使用される。仕切り板５を底板１に取り付けると、仕切り板５の左側面側の棚受部５２と左側板２の棚受部２２とが対向配置され、仕切り板５の右側面側の棚受部５２と右側板３の棚受部３２とが対向配置される。そして、棚板８は、対向配置された棚受部２２、５５（又は、対向配置された棚受部３２、５５）に支持され、収納箱５０の内部の所定位置に保存される。また、仕切り板５の上端には、天板を支えるための支持面５ｃが形成されている。天板の下面は、この支持面５ｃに接触して支えられる。
【００１９】
なお、仕切り板５の上に天板を取り付けると、仕切り板５は底板１と天板とに挟まれて取り出しできないように固定される。即ち、仕切り板５の下端に位置する凸部５１は底板１の開口部１１に嵌合している。この状態で、仕切り板５上に天板を取り付けると、仕切り板５の支持面５１ｃは天板の下面に接触して上側から押えられる（又は、支持面５１ｃは天板の下面に嵌合していてもよい。）。これにより、仕切り板５は、天板が取り外されない限り、収納箱５０の内部から取り出すことができないようになっている。
【００２０】
この収納箱５０において、底板１、左側板２、右側板３及び背面板４は、例えばＡＢＳ樹脂等の合成樹脂を金型内に射出して成形する技術（即ち、射出成形技術）により、一体に形成されている。また、仕切り板５は、底板１、左側板２、右側板３及び背面板４とは別体に形成されている。仕切り板５は、例えばＡＢＳ樹脂等の合成樹脂を用いた射出成形技術により形成されている。
【００２１】
この第１実施形態及び、後述の第２、第３実施形態では、左側板２及び右側板３のうちの一方が本発明の「第１の側板」に対応し、左側板２及び右側板３のうちの他方が本発明の「第２の側板」に対応している。また、貫通穴２１が本発明の「第１の貫通穴」に対応し、貫通穴３１が本発明の「第２の貫通穴」に対応している。
【００２２】
〔第１実施形態の効果〕
本発明の第１実施形態は、以下の効果を奏する。
（１）射出成形技術により、底板１と、左側板２と、右側板３及び背面板４を共通の金型を用いて同時に形成することができる。従来の技術と比べて、底板、左側板、右側板、背面板の各板毎に専用の金型を用意する必要がなく、収納箱５０の製造に使用する金型の数を削減することができる。これにより、金型の製作コストを低く抑えることが可能である。
【００２３】
（２）また、底板１、左側板２、右側板３及び背面板４とは別体に形成された仕切り板５の下端の少なくとも一部（例えば、凸部５１）を、底板１の中間部に形成された開口部１１に嵌め込むことが可能である。これにより、仕切り板５を底板１の中間部の上面１ａ側に起立した状態で取り付けることができ、収納箱５０の内部を左右に分けて使用することができる。さらに、棚受部２２、３２、５２に棚板８（図８参照）を支持させることも可能である。これにより、収納箱５０の内部を上下に分けて使用することができる。
【００２４】
（３）また、仕切り板５の内側部分は下端部に比べて薄い。これにより、仕切り板５を底板１に取り付けて収納箱５０の内部を左右に分けて使用する場合でも、左右の収納空間をできるだけ広く確保することができる。なお、本例では、仕切り板５を底板１に取り付けた際に、仕切り板５の下端部と底板１の上面１ａとの境界部が面一となるように、溝部１２の深さと仕切り板５の下端部の厚さとを同一の寸法に設計することが好ましい。上記の境界部が面一であれば、底板１と仕切り板５とに一体感を持たせることができる。
【００２５】
（４）また、収納箱５０の左側板２には貫通穴２１が形成されており、右側板３には貫通穴３１が形成されている。これにより、後述の第３実施形態で説明するように、貫通穴２１と貫通穴３１とを対向させ、これら貫通穴２１、３１に連結部材９を嵌めることが可能である。貫通穴２１、３１に連結部材９を嵌めることにより、複数個の収納箱５０を左右の方向に連結することができる。
【００２６】
〔変形例〕
（１）上述の第１実施形態では、収納箱５０に仕切り板５が取り付けられる場合について説明した。しかしながら、本発明において、仕切り板５は必須ではない。即ち、仕切り板５は無くてもよい。同様に、棚板８も、仕切り板５と同様に必須ではなく、無くてもよい。このような場合であっても、第１実施形態の効果（１）、（３）を奏する。
（２）上述の第１実施形態では、収納箱５０の左側板２には貫通穴２１が形成されており、右側板３には貫通穴３１が形成されている場合について説明した。しかしながら、本発明において、貫通穴２１、３１は必須ではない。即ち、貫通穴２１、３１は無くてもよい。また、背面板４の貫通穴４４も、貫通穴２１、３１と同様に必須ではなく、無くてもよい。このような場合であっても、第１実施形態の効果（１）、（２）を奏する。
【００２７】
＜第２実施形態＞
〔構成〕
本発明では、図１〜図５に示した収納箱５０を複数個用意し、これら複数個の収納箱５０を高さ方向に積み重ねて多段収納箱を構成してもよい。
図６及び図７は、本発明の第２実施形態に係る多段収納箱１００の構成例を示す斜視図である。図６は多段収納箱１００の内側を示すために天板の図示を省略した図である。また、図７は、天板を示した図である。なお、図６及び図７の何れも、前面扉の図示は省略している。
【００２８】
図６及び図７に示すように、この多段収納箱１００は、例えば第１の収納箱５０Ａと、第１の収納箱５０Ａ上に配置された第２の収納箱５０Ｂとを備える。第１の収納箱５０Ａ及び第２の収納箱５０Ｂはそれぞれ、図１〜図５に示した収納箱５０と同様の構成を有する。また、この多段収納箱１００では、第１の収納箱５０Ａの左側板２の上端の凸部２３（図１参照）、右側板３の上端の凸部３３（図１参照）、背面板４の上端の凸部４３（図１参照）がそれぞれ、第２の収納箱５０の底板１の下面側の開口部に嵌合している。これにより、第１の収納箱５０Ａと第２の収納箱５０Ｂとが高さ方向で着脱可能に連結されている。
【００２９】
第１の収納箱５０Ａの仕切り板５は、第１の収納箱５０Ａの底板１と第２の収納箱５０Ｂの底板１とに挟まれて固定されている。即ち、この仕切り板５の下端に位置する凸部５１（図３参照）は第１の収納箱５０の底板１の開口部に嵌合している。また、この仕切り板５の上端に位置する支持面５１ｃ（図３参照）は、第２の収納箱５０Ｂの底板１の下面に接触して上側から押えられている（又は、嵌合していてもよい）。これにより、第１の収納箱５０Ａの仕切り板５は、第２の収納箱５０Ｂが取り外されない限り、第１の収納箱５０Ａの内部から取り出すことができないようになっている。
【００３０】
〔第２実施形態の効果〕
本発明の第２実施形態は、第１実施形態の効果（１）〜（４）と同様の効果を奏する。また、第２実施形態では、複数個の収納箱５０を高さ方向に積み重ねて多段収納箱１００を構成する。これにより、第１実施形態と比べて、収納箱５０を配置するためのスペースを広げることなく（即ち、占有面積を増やすことなく）、より多くの収納箱５０を一箇所にまとめて配置することができる。
【００３１】
〔変形例〕
（１）上述の第２実施形態においても、第１実施形態の変形例（１）（２）を適用してよい。
（２）また、上述の第２実施形態では、図６及び図７に示したように多段収納箱１００の段数（即ち、収納箱５０を積み重ねた数）が２段の場合について説明した。しかしながら、本発明において、多段収納箱１００の段数は２段に限定されず、３段以上でもよい。このような場合であっても、第２実施形態の効果を奏する。
【００３２】
＜第３実施形態＞
〔構成〕
本発明では、図１〜図５に示した収納箱５０を複数個用意し、これら複数個の収納箱５０を左右の方向に連結して連結収納箱を構成してもよい。或いは、図６及び図７に示したような多段収納箱１００を複数個用意し、これら複数個の多段収納箱１００を左右の方向に連結して連結多段収納箱を構成してもよい。なお、図８では、一部の前面扉７の図示を省略している。
【００３３】
図８は、本発明の第３実施形態に係る連結多段収納箱２００の構成例を示す斜視図である。図８に示すように、この連結多段収納箱２００は、第１の多段収納箱１００Ａと、第１の多段収納箱１００Ａの右側面側に配置された第２の多段収納箱１００Ｂとを備える。
第１の多段収納箱１００Ａは、図１〜図５に示した収納箱５０を高さ方向に６個積み重ねたものである。また、第２の多段収納箱１００も、図１〜図５に示した収納箱５０を高さ方向に６個積み重ねたものである。第１の多段収納箱１００Ａの段数と第２の多段収納箱１００Ｂの段数はそれぞれ６段である。
【００３４】
この連結多段収納箱２００では、１〜６段目の各段で、第１の多段収納箱１００Ａが有する右側板３と、第２の多段収納箱１００Ｂが有する左側板２とが連結部材で連結されている。これにより、第１の多段収納箱１００Ａと第２の多段収納箱１００Ｂとが左右の方向で着脱可能に連結されている。また、例えば、連結多段収納箱２００の天板６と室内の壁（図示せず）とが固定具１０で固定される。これにより、地震等が発生した場合でも、この地震により連結多段収納箱２００が転倒することを防ぐことができる。
【００３５】
図９は連結部材９の構成例を示す図である。詳しくは、図９（ａ）は平面図、図９（ｂ）は正面図、図９（ｃ）は底面図、図９（ｄ）は左側面図、図９（ｅ）は右側面図、図９（ｆ）は背面図である。
図９に示すように、連結部材９は、例えば軸部９１と、軸部９１の一端の側に位置する頭部９２と、軸部９１の他端の側に位置する係止部９３と、を備える。また、頭部９２の正面側（即ち、軸部９１に接続する側の反対側）には、凹部９４が設けられている。
【００３６】
連結部材９を用いて、第１の多段収納箱１００Ａと第２の多段収納箱１００Ｂとを連結する場合は、例えば、第２の多段収納箱１００Ｂの左側板２の貫通穴２１の側から、この貫通穴２１と第１の多段収納箱１００Ａの右側板３の貫通穴３１とに、係止部９３を先頭に連結部材９を嵌める。そして、連結部材９の頭部９２が第２の多段収納箱１００Ｂの左側面２に接触したら、この頭部９２を時計まわり（又は、半時計まわり）に９０°回転させる。この回転は、例えば、頭部９２の正面側の凹部９４にドライバー等の先端を嵌めて回すことにより行う。これにより、係止部９３が右側板３の貫通穴３１の周縁部に係わり合う。その結果、第１の多段収納箱１００Ａと第２の多段収納箱１００Ｂとが連結部材９によって、左右の方向に連結される。
【００３７】
〔第３実施形態の効果〕
本発明の第３実施形態は、第２実施形態の効果と同様の効果を奏する。また、連結部材９を用いることにより、第１の多段収納箱１００Ａと第２の多段収納箱１００Ｂとを左右の方向に容易に連結することができる。
〔変形例〕
この第３実施形態においても、第１実施形態の変形例（１）（２）や、第２実施形態の変形例（２）をそれぞれ適用してよい。このような場合であっても、第３実施形態の効果を奏する。
【００３８】
＜その他＞
本発明は、以上に記載した第１〜第３実施形態とそれらの変形例に限定されるものではない。当業者の知識に基づいて各実施形態や各変形例に設計の変更を加えてもよく、また、各実施形態や各変形例を任意に組み合わせてもよく、そのような変更等が加えられた態様も本発明の範囲に含まれる。
【符号の説明】
【００３９】
１  底板
１ａ  上面
１ｂ  下面
２  左側板
２ａ  右側面
３  右側板
３ａ  左側面
４  背面板
５  仕切り板
５ａ  左側面
５ｂ  右側面
５ｃ  支持面
６  天板
７  前面扉
８  棚板
９  連結部材
１０  固定具
１１、１３  開口部
１２  溝部
２１、３１、４４  貫通穴
２２、３２、５２  棚受部
２３、３３、４３、５１  凸部
４５  支柱
５０  収納箱
５０Ａ  第１の収納箱
５０Ｂ  第２の収納箱
９１  軸部
９２  頭部
９３  係止部
９４  凹部
１００  多段収納箱
１００Ａ  第１の多段収納箱
１００Ｂ  第２の多段収納箱
２００  連結多段収納箱
【図１】
0006548878.tif 000002
【図２】
0006548878.tif 000003
【図３】
0006548878.tif 000004
【図４】
0006548878.tif 000005
【図５】
0006548878.tif 000006
【図６】
0006548878.tif 000007
【図７】
0006548878.tif 000008
【図８】
0006548878.tif 000009
【図９】
0006548878.tif 000010